(57)【要約】【課題】ＷＥＢ取引サイトを閲覧した潜在顧客層のアクセス情報から注目度を解析し、数値化し加工処理することによって取引の価格を可変させられる電子商取引の可変プログラムおよび可変プログラムａを提供する。【解決手段】特許第３９２４６８２号の価格変動プログラムが格納されたハードウエア資源に可変プログラムａの機能を構築する手段と、ハードウエア資源を用いてＣＰＵに演算および加工の情報を処理する制御アルゴリズムのプログラム機能を記録した記録媒体の可変プログラムのソフトウエアをコンピュータに格納する手段と、インターネット通信の手段を介して取引情報を潜在購入者層に発信することで実勢価格に即すリアルタイムな可変価格を購入者および販売者に提供する手段と、を備えたことを特徴とする。【選択図】  図１
2009146365.tif 000002
【特許請求の範囲】
【請求項１】
可変プログラムは、アクセス機能と、可変機能と、入札変動機能とからなり、
取引価格の可変を制御する制御アルゴリズムの機能を有する可変プログラムであって、
アクセス機能は、ログデータを記録するとともに解析し加工処理する記録機能と、
アクセス対比機能と、時間対比機能と、を時系列的に制御する制御機能で前記記録機能に記録されたアクセスのカウント回数のデータ加工およびデータ圧縮の処理を制御し、
前記アクセス対比機能がカウントをデータ加工することでポイントＡへと処理され、
前記時間対比機能がポイントＡにデータ加工処理した日時（曜日・暦による日柄・時間帯）を解析し、規定の係数で処理することで変換されたデータ加工の係数ポイントＢは、
前記可変機能の数値設定によって規定の時間集積され、累積した係数ポイントＢの数値比率に応じて取引価格の昇降％率および稼働時間が設定され、取引価格を可変させることができるアクセス機能と可変機能とであり、
前記入札変動機能が、前記記録機能の入札状態コードを解析し、予め設定した昇降％率によって入札時ごとに取引の価格を可変させることができる制御機能を備えた入札変動機能であり、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有する可変プログラムは、前記アクセス機能の手段と、前記可変機能の手段と、前記入札変動機能の手段と、のデータ構造を時系列的に構成し時間軸で連動し、稼動するデータ加工およびデータ圧縮の処理を制御する制御アルゴリズムの制御機能を備えており、
ハードウエア資源を用いてＣＰＵに演算およびデータ加工の情報を処理する制御プログラム機能を記録した記録媒体を備えたことを特徴とする電子商取引の可変プログラム。
【請求項２】
特許第３９２４６８２号広報の価格変動プログラムに前記可変プログラムを格納し構築することにより、前記価格変動プログラムのメインプログラムに構築した入札上昇システムと、上昇システムのａとｂと、下降システムのａとｂと、に設定された数値を制御するハードウエア資源のＣＰＵにデータ加工およびデータ圧縮の処理を制御する制御アルゴリズムの制御機能を有する可変プログラムａを備え、
前記価格変動プログラムの入札上昇システムと、上昇システムのａとｂと、下降システムのａとｂと、に設定された数値を変更させるデータ加工およびデータ圧縮の処理する制御アルゴリズムの手段と、入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力と登録を行う機能・出入力・表示・加工・圧縮のデータ処理する制御機能を有する可変プログラムａを備えたことを特徴とする請求項１に記載の電子商取引の可変プログラムａ。
【請求項３】
前記アクセス機能は、前記記録機能と前記アクセス対比機能と前記時間対比機能とからなり、
アクセス「アクセス元のＩＰアドレス・アクセス元のドメイン名・アクセスされた日時と時刻・アクセスされたファイル名・リンク元のページのＵＲＬ・穂門者のＷｅｂブラウザ名やＯＳ名・処理にかかった時間・受信バイト数に集計したもの・送信バイト数・入札状態コード・サービス状態コード」のログデータの構造を有する記録機能は、
複数の潜在購入者層が取引状況を閲覧するアクセス情報を記録するとともに解析し、
データの加工処理をする記録機能の手段と、アクセスのデータ情報を対比および解析し、削除およびデータ加工の処理を行なうアクセス対比機能の手段と、
アクセス対比機能がデータ加工した日時および暦に係数を設けてデータを加工処理する時間対比機能の手段と、を時系列的に制御する制御アルゴリズムによってデータ加工およびデータ圧縮の処理する機能を備えたアクセス機能は、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有するアクセス機能を備えたことを特徴とする請求項１乃至２のいずれか１項に記載の電子商取引の可変プログラムおよび可変プログラムａ。
【請求項４】
前記可変機能は、取引の最低販売価格を設定する設定機能の手段と、可変する価格を一時的に停止させるタイムラグ機能の手段と、を備えており、
前記アクセス機能の加工処理によってデータ加工されたデータ情報を規定の時間内に集積し、累積したデータ情報で取引価格を可変させることができる可変機能であって、
可変させるための数値設定は、未設定の数値をＸとし、係数ポイントＢの可変値０％の数値Ｘの範囲を設定し、ＸポイントＢＤの下降率Ｘ％をＸ時間と、ＸポイントＢＵの上昇率Ｘ％をＸ時間と、のＸ値の数値を入力することによって、他のＸポイントＢＤの下降Ｘ％をＸ時間と、ＸポイントＢＵの上昇率Ｘ％をＸ時間と、の比率割合を自動的に制御しており、
さらにＸポイントＢＤの下降率Ｘ％をＸ時間と、ＸポイントＢＵの上昇率Ｘ％をＸ時間と、の稼働Ｘ時間の対比％率によってデータ情報の集積時間の設定を制御する制御アルゴリズムの機能を有した可変機能は、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能の手段と、の記録・演算・入力・登録・出入力・表示・加工・圧縮のデータ処理する制御機能を有する可変機能を備えたことを特徴とする請求項１乃至３のいずれか１項に記載の電子商取引の可変プログラムおよび可変プログラムａ。
【請求項５】
前記アクセス対比機能は、前記記録機能のデータ加工（カウント）の情報を同アクセス者および他アクセス者のカウント回数を規定の条件で解析し比率割合に応じてカウント数を削除する機能と、サイバー攻撃を防御する機能とによって優良なカウント数だけを抽出し、ポイントＡへと変換させるデータ加工の処理機能を制御する制御アルゴリズムの機能を有しており、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有するアクセス対比機能を備えたことを特徴とする請求項１乃至４のいずれか１項に記載の電子商取引の可変プログラムおよび可変プログラムａ。
【請求項６】
前記時間対比機能は、前記ポイントＡがデータ加工された日時（曜日・暦による日柄・時間帯）を解析し、規定の係数に応じて係数ポイントＢへと変換させるデータ加工の処理機能を制御する制御アルゴリズムの機能を有しており、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有する時間対比機能を備えたことを特徴とする請求項１乃至５のいずれか１項に記載の電子商取引の可変プログラムおよび可変プログラムａ。
【請求項７】
前記入札変動機能は、前記記録機能の入札状態コードを解析し、予め設定した昇降％率によって入札時ごとに取引価格を変動させるデータ加工およびデータ圧縮の処理する制御アルゴリズムの機能を有しており、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有する入札変動機能を備えたことを特徴とする請求項１乃至６のいずれか１項に記載の電子商取引の可変プログラムおよび可変プログラムａ。
【請求項８】
前記可変プログラムおよび前記可変プログラムａは、前記アクセス機能をスッテプ１とし、前記可変機能をスッテプ２とし、前記入札変動機能をスッテプ３とするデータ構造を有し、
スッテプ１・スッテプ２・スッテプ３と、を制御アルゴリズムによって時系列的に連動し稼動するデータ構成を記録し解析するデータ加工とデータ圧縮の処理する制御プログラムの機能を記録した記録媒体を備え、ハードウエア資源を用いてＣＰＵに演算およびデータ加工の情報を処理する手段と、入力・登録を行なう機能の入力キー・登録キーの手段キー機能の手段と、数値設定した数値を演算し加工する演算機能の手段と、データ情報を出入力する機能の出入力機能の手段と、データを記録する記録機能の手段と、の記録・演算・入力・登録・出入力・表示・加工・圧縮のデータ処理する制御機能を有しており、
前記可変プログラムおよび前記可変プログラムａは、インターネット・デジタル放送などの有線通信手段あるいは無線通信手段と、に応じた通信装置を介して接続された
複数の端末装置と双方向通信を可能とする通信の手段を備えた通信手段と、を制御する制御プログラムの機能を記録した記録媒体の手段を備えたことを特徴とする請求項１乃至７のいずれか１項に記載の電子商取引の可変プログラムおよび可変プログラムａ。
【発明の詳細な説明】
【技術分野】
【０００１】
本発明は、潜在購入者層のアクセス情報を解析しデータを加工および圧縮などの処理を制御する制御アルゴリズムによって、取引における商材の市場性価値を、より正確に計り、市場に沿った価格帯に可変させられる電子商取引の可変プログラムおよび可変プログラムａに関するものである。
【背景技術】
【０００２】
インターネットによる物件情報の提供やオークションなどの競売システムがあるが、販売価格が均衡しない価格帯や販売開始価格が実勢価格と異なる場合が多く見られる、
また特許第３９２４６８２号広報は、販売者が人為的に価格帯を変動させる機能により、市場の実勢価格と異なる側面があった。
【特許文献１】特許第３９２４６８２号公報
【発明の開示】
【発明が解決しようとする課題】
【０００３】
しかしながら、従来のオークションとは異なる特許第３９２４６８２号は、人為的に価格帯を変動させる以外の機能としては、次世代の商取引システムの要素を既に備えている。
【０００４】
そこで本発明は、従来の価格変動方法の欠点を鑑み、電子商取引ならではのアクセス情報を活用した潜在顧客層のアクセスカウント、いわゆる注目度を数値化して可変させるシステムの取引手法を提供するものである。
ＷＥＢ取引サイトを閲覧した潜在顧客層のアクセス情報を解析し、数値化によって価格を可変させられることに着目した、しかし、アクセス情報は不特定多数であり、単純に潜在顧客層のアクセス情報として採り入れることが出来ないため、購入意欲のある潜在顧客層と考えられるアクセス情報だけを抽出するプログラムを設けた。
【０００５】
先ず、アクセスのログデータ情報をカテゴリーごとに解析して、データ加工の処理機能を備えたアクセス機能と、一定時間内のアクセス数の比率によって取引価格の昇降％率を変動させるデータ加工の処理機能を備えた可変機能と、
入札ごとに取引価格の昇降％率が変動するデータ加工の処理機能を備えた入札変動機能と、を備えた可変プログラムと可変プログラムａと、を具備し、
ハードウエア資源を用いてＣＰＵに演算および加工の情報を処理する制御アルゴリズムの制御プログラム機能を記録した記録媒体の可変プログラムあるいは可変プログラムａのいずれかのソフトウエアをコンピュータに格納し、通信手段を介して取引情報を発信することで、
商材情報の閲覧頻度・閲覧日時および時間帯・同人物による閲覧回数・他人物による閲覧回数・入札状態の様々なデータ情報をアクセス機能が解析および加工することにより、
商材の市場性が計られ、商材の特性および市場性価値に応じた数値設定（可変率の下降％と稼働時間・上昇％と稼働時間）を取引前におこなうことによって、時間軸で価格の昇降％率が変動され、取引を行う者に対して、より実勢価格に近い可変価格をリアルタイムに提供できる電子商取引の可変プログラムおよび可変プログラムａで、不動産物件・動産物件もしくは物品の売買・賃借の取引システムを促進させることを目的とする。
【課題を解決するための手段】
【０００６】
すなわち本発明は、特許第３９２４６８２号広報の価格変動プログラムに可変プログラムａの機能を構築した可変プログラムａの手段と、
ハードウエア資源を用いてＣＰＵに演算および加工の情報を処理する制御アルゴリズムの制御プログラム機能を記録した記録媒体の可変プログラムのソフトウエアをコンピュータに格納する可変プログラムの手段と、によってインターネット通信の手段を介して取引情報を発信することで、実勢価格に即すリアルタイムな可変価格を提供するプログラム機能を構築した。
【０００７】
可変プログラムは、アクセス機能と、可変機能と、入札変動機能とからなり、取引価格の可変を制御する制御アルゴリズムの機能を有する電子商取引の可変プログラムであって、
アクセス機能は、ログデータを記録するとともに解析し加工処理する記録機能と、
アクセス対比機能と、時間対比機能と、を時系列的に制御する制御機能で前記記録機能に記録されたアクセスのカウント回数のデータ加工およびデータ圧縮の処理を制御し、
前記アクセス対比機能がカウントをデータ加工することでポイントＡへと処理され、
前記時間対比機能がポイントＡにデータ加工処理した日時（曜日・暦による日柄・時間帯）を解析し、規定の係数で処理することで変換されたデータ加工の係数ポイントＢは、
前記可変機能の数値設定によって一定の時間集積され、累積した係数ポイントＢの数値比率に応じて取引価格の昇降％率および稼働時間が設定され、取引価格を可変させることができるアクセス機能と可変機能とであり、
前記入札変動機能が、前記記録機能の入札状態コードを解析し、予め設定した昇降％率によって入札時ごとに取引の価格を可変させることができる制御機能を備えた入札変動機能であり、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有する可変プログラムは、前記アクセス機能の手段と、前記可変機能の手段と、前記入札変動機能の手段と、のデータ構造を時系列的に構成し時間軸で連動し、稼動するデータ加工およびデータ圧縮の処理を制御する制御アルゴリズムの制御機能を備えており、
ハードウエア資源を用いてＣＰＵに演算およびデータ加工の情報を処理する制御プログラム機能を記録した記録媒体を備えたことを特徴とする電子商取引の可変プログラム。
【０００８】
特許第３９２４６８２号広報の価格変動プログラムに前記可変プログラムを格納し構築することにより、前記価格変動プログラムのメインプログラムに構築した入札上昇システムと、上昇システムのａとｂと、下降システムのａとｂと、に設定された数値を制御するハードウエア資源のＣＰＵにデータ加工およびデータ圧縮の処理を制御する制御アルゴリズムの制御機能を有する可変プログラムａを備え、
前記価格変動プログラムの入札上昇システムと、上昇システムのａとｂと、下降システムのａとｂと、に設定された数値を変更させるデータ加工およびデータ圧縮の処理する制御アルゴリズムの手段と、入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力と登録を行う機能・出入力・表示・加工・圧縮のデータ処理する制御機能を有する可変プログラムａを備えたことを特徴とする請求項１に記載の電子商取引の可変プログラムａ。
【０００９】
前記アクセス機能は、前記記録機能と前記アクセス対比機能と前記時間対比機能とからなり、
アクセス「アクセス元のＩＰアドレス・アクセス元のドメイン名・アクセスされた日時と時刻・アクセスされたファイル名・リンク元のページのＵＲＬ・穂門者のＷｅｂブラウザ名やＯＳ名・処理にかかった時間・受信バイト数に集計したもの・送信バイト数・入札状態コード・サービス状態コード」のログデータの構造を有する記録機能は、
複数の潜在購入者層が取引状況を閲覧するアクセス情報を記録するとともに解析し、
データの加工処理をする記録機能の手段と、アクセスのデータ情報を対比および解析し、削除およびデータ加工の処理を行なうアクセス対比機能の手段と、
アクセス対比機能がデータ加工した日時および暦に係数を設けてデータを加工処理する時間対比機能の手段と、を時系列的に制御する制御アルゴリズムによってデータ加工およびデータ圧縮の処理する機能を備えたアクセス機能は、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有するアクセス機能を備えたことを特徴とする電子商取引の可変プログラムおよび可変プログラムａ。
【００１０】
前記可変機能は、取引の最低販売価格を設定する設定機能の手段と、可変する価格を一時的に停止させるタイムラグ機能の手段と、を備えており、
前記アクセス機能の加工処理によってデータ加工されたデータ情報を規定の時間内に集積し、累積したデータ情報で取引価格を可変させることができる可変機能であって、
可変させるための数値設定は、未設定の数値をＸとし、係数ポイントＢの可変値０％の数値Ｘの範囲を設定し、ＸポイントＢＤの下降率Ｘ％をＸ時間と、ＸポイントＢＵの上昇率Ｘ％をＸ時間と、のＸ値の数値を入力することによって、他のＸポイントＢＤの下降率Ｘ％をＸ時間と、ＸポイントＢＵの上昇率Ｘ％をＸ時間と、の比率割合を自動的に制御しており、
さらにＸポイントＢＤの下降率Ｘ％をＸ時間と、ＸポイントＢＵの上昇率Ｘ％をＸ時間と、の稼働Ｘ時間の対比％率によってデータ情報の集積時間の設定を制御する制御アルゴリズムの機能を有した可変機能は、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能の手段と、の記録・演算・入力・登録・出入力・表示・加工・圧縮のデータ処理する制御機能を有する可変機能を備えたことを特徴とする電子商取引の可変プログラムおよび可変プログラムａ。
【００１１】
前記アクセス対比機能は、前記記録機能のデータ加工（カウント）の情報を同アクセス者および他アクセス者のカウント回数を規定の条件で解析し比率割合に応じてカウント数を削除する機能と、サイバー攻撃を防御する機能とによって優良なカウント数だけを抽出し、ポイントＡへと変換させるデータ加工の処理機能を制御する制御アルゴリズムの機能を有しており、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有するアクセス対比機能を備えたことを特徴とする電子商取引の可変プログラムおよび可変プログラムａ。
【００１２】
前記時間対比機能は、前記ポイントＡがデータ加工された日時（曜日・暦による日柄・時間帯）を解析し、規定の係数に応じて係数ポイントＢへと変換させるデータ加工の処理機能を制御する制御アルゴリズムの機能を有しており、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有する時間対比機能を備えたことを特徴とする電子商取引の可変プログラムおよび可変プログラムａ。
【００１３】
前記入札変動機能は、前記記録機能の入札状態コードを解析し、予め設定した昇降％率によって入札時ごとに取引価格を変動させるデータ加工およびデータ圧縮の処理する制御アルゴリズムの機能を有しており、
入力・登録を行なう入力キー・登録キーの手段キー機能と、設定した数値を演算しデータ加工する演算機能と、データ情報を出入力する出入力機能と、データ圧縮する圧縮機能と、データを表示する表示機能と、データを記録する記録機能と、の記録・演算・入力・登録・出入力・表示・加工・圧縮のデータ処理する制御機能を有する入札変動機能を備えたことを特徴とする電子商取引の可変プログラムおよび可変プログラムａ。
【００１４】
前記可変プログラムおよび前記可変プログラムａは、前記アクセス機能をスッテプ１とし、前記可変機能をスッテプ２とし、前記入札変動機能をスッテプ３とするデータ構造を有し、
スッテプ１・スッテプ２・スッテプ３と、を制御アルゴリズムによって時系列的に連動し稼動するデータ構成を記録し解析するデータ加工とデータ圧縮の処理する制御プログラムの機能を記録した記録媒体を備え、ハードウエア資源を用いてＣＰＵに演算およびデータ加工の情報を処理する手段と、入力・登録を行なう機能の入力キー・登録キーの手段キー機能の手段と、数値設定した数値を演算し加工する演算機能の手段と、データ情報を出入力する機能の出入力機能の手段と、データを記録する記録機能の手段と、の記録・演算・入力・登録・出入力・表示・加工・圧縮のデータ処理する制御機能を有しており、
前記可変プログラムおよび前記可変プログラムａは、インターネット・デジタル放送などの有線通信手段あるいは無線通信手段と、に応じた通信装置を介して接続された
複数の端末装置と双方向通信を可能とする通信の手段を備えた通信手段と、を制御する制御プログラムの機能を記録した記録媒体の手段を備えたことを特徴とする電子商取引の可変プログラムおよび可変プログラムａ。
【発明の効果】
【００１５】
以上のように本発明は、特許第３９２４６８２号の価格変動プログラム：３７の発明者および特許権者の蓬山秀剛（他２名）であることから価格変動プログラム：３７に可変プログラムａ：２０を構築する手段と、
ハードウエア資源：５を用いてＣＰＵに演算および加工データの情報を処理する制御プログラム機能を記録した記録媒体を備えた可変プログラム：１の手段と、によってアクセス機能：２と、可変機能：３と、入札変動機能：４と、の制御アルゴリズムで潜在購入者の市場性価値を予測し、取引価格を可変させることで販売者および購入者に適正な販売価格を提供できる電子商取引の新しい取引の流通システムであり、
取引以外にも商材のマーケティングが行なえ、目的に応じて活用できる可変システムである。
【発明を実施するための最良の形態】
【００１６】
以下、本発明の実施の形態について図面に基づき説明する。
図１が示す、双方向を可能としたインターネットあるいはデジタル放送の通信：６状態の可変プログラム：１の接続状況を示したもので可変プログラム：１の構成は、アクセス機能：２・可変機能：３・入札変動機能：４の３つによって構成されている。
【００１７】
図２について説明する。
前記可変プログラム：１を特許第３９２４６８２号の価格変動プログラム：３８に格納し構築することによって、前記価格変動プログラム：３８（特願２００３−１６１１４４の図２に記載）のメインプログラムに構築した入札上昇システムと、上昇システムのａとｂと、下降システムのａとｂと、に設定された数値を変更させる制御機能を構築した前記可変プログラムａ：２０を備えた図である。
なお図に記載していないが、取引開始時の一定期間は前記価格変動プログラム：３８によって価格を変動させ、可変プログラムａ：２０の係数ポイントＢの数値が集積され、累積した係数ポイントＢのＤとＵの稼動状態に達した時点で前記価格変動プログラム：３８と前記可変プログラムａ：２０のシステムを切り替えることにより潜在購入者層の注目度数で取引価格を可変させることが可能となる。
【００１８】
図の４と５とが示す、前記可変プログラム：１と前記可変プログラムａ：２０は、ＷＥＢ取引サイトの取引開始：３２を複数のアクセス者が取引状況閲覧：３３のアクセスのカウント情報を活用してアクセス数によって可変する価格：３４によって取引の販売価格を直接的に可変させるシステムプログラムであり、
図の３と４と５とが示す、潜在顧客層のアクセスのカウント情報を収集するアクセス機能：２の記録機能：２１のアクセスのログデータ：２２をカウント比率の数値と条件の設定：Ａ１・データ処理された削除カウント：Ａ２・アクセス者の比率割合で削除処理：Ａ３・サイバー攻撃設定で削除カウント：Ａ４などの規定の設定条件を記録機能：２１が解析し、データ加工の処理：２３するアクセス対比機能：２４によって、
データ加工されたカウント：１Ａは加工処理されたポイントＡ：２Ａにデータ処理され、購入意欲のある潜在顧客層だけのアクセスのカウント回数が抽出できるアクセス対比機能：２４である。
【００１９】
このようにログデータソフトウエアの機能を備えた記録機能：２１は、
図９が示す、ログデータ情報を記録した記録機能：２１のカテゴリーから同アクセス者のアクセスのカウント数と、他アクセス者のアクセスのカウント数との比率割合を（３０秒内にアクセス５回以上もしくは２４時間以内に同アクセス者と他アクセス者のアクセスのカウント回数の平均比率が３倍以上はカウント無効等）規定の条件設定で解析してデータ加工を処理し、
さらにサイバー攻撃によるアクセス数を規定の条件設定（通常取引におけるアクセス回数比率もしくは設定数値）で解析し、データ加工が処理したカウントの回数１カウントに対して１ポイントＡへとデータ加工することで、取引の市場性を数値化するアクセス対比機能：２４である。
【００２０】
図の３と４と５とが示す、時間対比機能：３０は加工処理されたポイントＡ：２Ａにデータ処理された日時の月曜〜金曜と祭日や休日などの時間帯を解析し、
図６の１と２に記載の規定の係数で加工処理された係数ポイントＢ：３１にデータ処理することで、潜在顧客層のアクセスのカウント情報を、より正確に収集するための時間対比機能：３０と、記録機能：２１と、アクセス対比機能：２４と、を備えたアクセス機能：２である。
さらに時間対比機能：３０について説明する、休日の土曜日・日曜日・祭日などには、複数のアクセスが多数され、平日には殆んどアクセスがされないことで取引価格の可変の乱高下を防ぐために設けられた時間対比機能：３０である。
図９が示すように、規定の設定条件：曜日・暦による日柄・時間帯×係数＝係数ポイントＢに変換される上昇Ｘ％または下降Ｘ％のポイントＢの数値比率は、商材の販売目的によって異なるため販売者によって設定される。
【００２１】
図４と図５とが示す、可変機能：３について説明する。
係数ポイントＢのＤとＵの数値：１Ｃは、商材の特性に応じた数値を設定することから図６の１が示すように、販売者は、可変させる係数ポイントＢの可変率０％の数値Ｘ：Ｂ１（未定数値を数値Ｘとする）の数値Ｘ範囲を設定するとともに、
ＸポイントＢＤの下降率Ｘ％およびＸ時間：Ｂ２と、ＸポイントＢＵの上昇率Ｘ％およびＸ時間：Ｂ３のＸ値の数値をそれぞれ一箇所設定することで、図６の２が示すように、その比率割合を自動的に演算し加工処理する演算機能と、表示するための表示機能と、を備えた可変機能：３である。
【００２２】
また可変機能：３には、前記係数ポイントＢＤの可変値が最低販売価格の数値Ｘを設定：Ｂ４と交わることで、図７の１が示すように前記係数ポイントＢＤの可変値がＸ％とＸ稼働時間をデータ加工処理：２Ｃによって、稼動が停止（３１時〜４２時の９時間が可変停止）するプログラム機能を備え、
さらに図７の２が示す、タイムラグ稼動状況（１８時〜２３時の５時間が可変停止）のようにタイムラグの数値Ｘを設定：Ｂ５により、ある一定の時間を数値設定することで前記係数ポイントＢＤあるいは前記係数ポイントＢＵの可変値がＸ％とＸ稼働時間をデータ加工処理：２Ｃによって稼動を停止させる機能を備えた可変機能：３である。
このように設定する数値には取引の最低販売価格を設定する設定：Ｂ４の機能と、時空的にデータ加工の処理を止めるタイムラグ機能：Ｂ５を備えているため取引価格にある程度の可変の間隔を作ることができる。
【００２３】
図１から図５が示すように、ホストコンピュータを制御する機能を記録した記録媒体の可変プログラム：１を格納したハードウエア資源：５あるいはハードウエア：３７は通信手段：６を介して複数の端末装置Ａ：７・複数の端末装置Ｂ：８・複数の端末装置Ｃ：９・複数の端末装置Ｄ：１０の接続が可能になることでＷＥＢ取引サイトの取引開始：３２が行なえる。
【００２４】
図１から図５が示す、複数のアクセス者が取引情報閲覧：３３のアクセス情報がアクセスごとに可変プログラム：１のアクセス機能：２の記録機能：２１に記録されたアクセスのログデータ：２２のアクセス情報をカテゴリーごとに記録データを解析し加工処理：２３を行なうアクセス対比機能：２４は、カウント比率の数値と条件の設定：Ａ１・データ処理された削除カウント：Ａ２・アクセス者の比率割合で削除処理：Ａ３・サイバー攻撃設定で削除カウント：Ａ４などの作業を予め設定された数値Ｘに基づきデータ加工の処理を行う、データ加工されたカウント：１Ａによって加工処理されたポイントＡ：２Ａである。
このようにアクセス機能は、潜在顧客層のアクセスをログデータ情報から解析し、データの加工処理を施し、カウント回数→ポイントＡ→係数ポイントＢへと単位と数値を変換させる機能手段を備えている。
【００２５】
図の４と５と９とが示す、データ加工を処理する時間対比機能：３０は、アクセス対比機能：２４がカウントをポイントＡにデータ加工した日時（曜日・暦による日柄・時間帯）を解析し、規定の条件設定の係数によってデータ加工することでポイントＡ×係数＝係数ポイントＢへとデータが変換され加工処理される時間対比機能で：３０ある。
加工処理されたポイントＡ：２Ａを加工処理された係数ポイントＢ：３１へとデータ加工し、可変機能：３の係数の数値Ｘを設定Ｂ１・下降率Ｘ％とＸ稼働時間Ｂ２・上昇率Ｘ％とＸ稼働時間：Ｂ３・最低販売価格の数値Ｘを設定：Ｂ５・タイムラグの数値Ｘを設定：Ｂ５・下限値Ｘおよび上限値Ｘの設定：Ｂ６などの予
め設定された数値Ｘに基づきデータ加工の処理を行い、データ加工された係数ポイントＢのＤとＵの数値：１Ｃと、Ｘ％とＸ稼働時間をデータ加工処理：２Ｃとのデータ加工処理を経て通信手段：６と接続状態のハードウエア資源（ホストコンピュータ）：５を制御する機能を記録した記録媒体の可変プログラム：１の制御機能によってＷＥＢ取引サイトの取引開始：３２が可能となる。
【００２６】
複数のアクセス者が取引情報閲覧：３３のカウント情報は段落番号００２４〜００２５との記載した手順によって解析・データ加工・データ処理などの過程を経てアクセス数によって可変する価格：３４であり、入札者による入札：３５により、入札変動機能：４が稼動し、予め設定した入札の昇降Ｘ％値の数値設定：Ｃ１の販売価格を上昇または下降のＸ％値を可変させるデータ加工処理で、入札ごと可変する取引価格：３６である。
【００２７】
図６の１が示す、係数ポイントＢの数値Ｘ設定について、詳しく述べる。係数ポ
イントＢＤ（下降％・稼働時間）および係数ポイントＢＵ（上昇％・稼働時間）の未定数値Ｘを下記のように５ポイントＢＤでは下降率０．１％を６時間と、１２ポイントＢＵ以上は上昇率０．６％を１時間との設定数値と、下限値Ｘおよび上限値Ｘの設定数値とを行い、
図６の２が示す、係数ポイントＢの０％値設定のＸ６ポイントＢ（０％＝６ポイントＢ）と設定を行うことで、演算機能（四捨五入）によって自動的に係数ポイントと稼働時間を割りだし、６ポイントＢ以下は、係数ポイントＢＤとしてデータ加工され、６ポイントＢ以上は、係数ポイントＢＵとしてデータ加工される。
図６の３が示す、アクセス対比機能：２４がデータを加工処理した表で５９ポイントＡ（アクセス者の全てと対比した結果、最も高い同アクセス者１５回は他アクセス者４４回÷５人＝８．８回の１．７倍で３倍に達しないため削除されない、）にデータ加工し、時間対比機能：３０が係数で加工処理（総数７２．３係数値は四捨五入により７２係数）をおこなった表であり、
これを可変機能：３が規定の時間内（集積時間：取引開始前９時間集計し取引開始時から５時間×３→４時間×３→３時間×３）累積することで（１）ポイントＢＤ〜ＸポイントＢＵが設定されるものである。
このように時間対比機能：３０が係数で加工処理したポイントＡの集積時間を取引開始前から行なうことにより取引開始と同時に可変させることができ、規定の設定で集積時間を徐々に短くしたり、もしくは長くしたりすることも出来る。
さらに係数ポイントＢＤ〜係数ポイントＢＵの稼働時間ごとに対比％率によって集積時間を設定できる。（対比％率によって集積時間を設定した図は記していない）
例えば、（６）９ポイントＢＵでは上昇率０．３％を４時間であることから（６）の稼働４時間に比率８０％を設けることで、次回の集積時間を３．２時間となる。
取引期間は４５時間であるが、アクセス情報を取引前に９時間集計し、取引開始時からは３６時まで集積した。
なお３６時から４５時までのアクセス情報の加工処理はされていない。
【００２８】
図８の１と２が示すように、Ｎｏ（１）〜Ｎｏ（１３）の係数ポイントＢの数値設定によって価格が時間軸で昇降する可変価格を表したグラフである。
（１）５ポイントＢＤでは下降率０．１％を６時間かけて（１万５千から１万４千）下降し、（２）７ポイントＢＵでは上昇率０．１％を６時間かけて（１万４千から１万５千）上昇し、（３）４ポイントＢＤでは下降率０．２％を５時間かけて（１万５千から１万３千）下降し、（４）８ポイントＢＵでは上昇率０．２％を５時間かけて（１万３千から１万５千）上昇し、（５）３ポイントＢＤでは下降率０．３％を４時間かけて（１万５千から１万２千）下降し、（６）９ポイントＢＵでは上昇率０．３％を４時間かけて（１万２千から１万５千）上昇し、（７）２ポイントＢＤでは下降率０．４％を３時間かけて（１万５千から１万１千）下降し、（８）１０ポイントＢＵでは上昇率０．４％を３時間かけて（１万１千から１万５千）上昇し、（９）１ポイントＢＤでは下降率０．５％を２時間かけて（１万５千から１万）下降し、（１０）１１ポイントＢＵでは上昇率０．５％を２時間かけて（１万から１万５千）上昇し、（１１）０ポイントＢＤでは下降率０．６％を１時間かけて（１万５千から９千）下降し、（１２）１２ポイントＢＵでは上昇率０．６％を１時間かけて（９千から１万５千）上昇し、（１３）６ポイントＢでは昇降率０％を無限時間（１５５００）するなど、係数ポイントＢの数値Ｘと％数値および時間の設定との関係によって取引価格が複雑に可変させることができる。また係数ポイントＢＤの下限値０と係数ポイントＢＵの上限値１２の設定によって０ポイントＢＤ以下は下降率０．６％を１時間と１２ポイントＢＵ以上は上昇率０．６％を１時間となる。
なお可変の特徴を表わすため、係数ポイントＢＤと係数ポイントＢＵの数値を極端に設定した図表とした。
【００２９】
このように商材の特性および市場性価値に応じた可変率「下降％と稼働時間・上昇％と稼働時間・入札昇降％」を販売者が予め数値を設定することによって、
時間軸で取引価格の昇降％率が変動され、より実勢価格に近い価格をリアルタイムに提供する可変機能：３である。
【００３０】
これらの機能を有するアクセス機能：２と、可変機能：３と、入札変動機能：３０とを制御する制御アルゴリズムの機能を備えた可変プログラム：１および可変プログラムａ：２０は、
特許第３９２４６８２号の価格変動プログラム：３８が格納されたハードウエア資源：３７を用いてＣＰＵに演算および加工の情報を処理する可変プログラムａ：２０の制御プログラム機能を記録した記録媒体の手段と、
ハードウエア資源を用いてＣＰＵに演算および加工の情報を処理する可変プログラム：１の制御プログラム機能を記録した記録媒体のソフトウエアの可変プログラム：１の手段と、を設けた。
この可変プログラム：１は、前記価格変動プログラムを活用しないものであり、単調な可変リズムで取引をおこなう場合や、もしくはマーケティングなどの場合に活用するものである。
なお図に記した前記可変機能：３と前記時間対比機能：３０の数値設定は実際の取引価格の昇降％率とは異なるものであり、あらゆる取引の可変データを集積し解析することで、商材の特性に応じた可変値および時間の数値が設定されるものである。
【００３１】
さらに可変機能：３について説明する。
図７のグラフが示すようにアクセス機能がデータ加工を処理した係数ポイントＢは、可変機能によって様々な可変値を示す、
これは可変機能が係数ポイントＢを規定の時間集積することで累積した係数ポイントＢが可変率に応じて、取引価格を上昇・下降・停止と時間を不規則に可変させることにより、購入意欲のある潜在顧客層を注目させることができ、さらに潜在顧客層のアクセスカウントが抽出されるため、市場性価値が高い商材は取引価格が上昇することになる。
【００３２】
逆に市場性価値が低い商材は潜在顧客層のアクセスカウントが抽出されないことで取引価格が下降するが均衡価格帯に接することで、潜在顧客層を注目させることによって潜在顧客層のアクセスカウントが抽出されるため、取引価格を上昇させる可能性を齎す。
そのため商材の市場性価値によっては、潜在顧客層を注目させることでアクセスのカウントが抽出され自動的に価格が可変させられるオートマティックな電子商取引の手法といえる。
これは特許第３９２４６８２号広報の価格変動プログラムでは出来なかった変動システムであり、潜在顧客層のアクセスカウント、いわゆる注目度を数値化にする整合性を伴う可変システムである。
【００３３】
さらに入札変動機能：４について説明する。
入札変動機能：４の昇降率のＸ数値を上昇で０．５％に数値設定することで、図８の１が示すように、４２時のところで入札されることで販売価格を０．５％上昇させる入札変動機能：４であり、段落番号００２７のＸ６ポイントＢでは昇降率０％を無限時間するため、これ以外の可変はしない状況を表した図である。
また入札変動機能：４と可変機能：３のタイムラグ機能：Ｂ５とを連動させることで入札変動機能：４が稼動することで一定の時間、係数ポイントＢＤおよび係数ポイントＢＵの稼動を停止させ、可変しない状態を作ることが出来るタイムラグ機能：Ｂ５である。
なお係数ポイントＢＤおよび係数ポイントＢＵに準じて稼動する入札変動機能：４は設定のよって上昇または下降のいずれかを選択することができる入札変動機能：４である。
【００３４】
段落番号００１６〜００３３と図面の簡単な説明とに記した可変プログラム：１および可変プログラム：２０に関する数値および規定の条件等は実際のものとは異なるものである。
図９が示す、表はアクセス機能の数値設定と、時間対比機能の係数設定と、可変機能の可変率０％の数値Ｘを設定および係数ポイントＢ×数値Ｘ＝係数ポイントＢＤ／係数ポイントＢＵの数値Ｘの設定と、タイムラグ機能の数値設定と、入札変動機能の昇降Ｘ％値の数値設定などを入力するフォームであり、販売者が商材の目的に応じて設定するものである。なお図９は実際の入力フォームとは異なるものである。
【００３５】
図１０が示すように、可変プログラム；１を格納したハードウエア資源が通信手段を経て複数の端末装置と接続状態を示すものである。
また図１１は前記可変プログラムａとハードウエア（ホストコンピュータ）が構築され、通信手段を経て複数の端末装置と接続状態を示すものである。
【００３６】
図１２は、アクセス機能：２の記録機能：２１とアクセス対比機能：２４と時間対比機能：３０とを構成するフロチャートであり、加工処理された係数ポイントＢ：３１を抽出するための作業工程を表したものである。
【００３７】
図１３は、可変プログラム：１のアクセス機能：２と可変機能：３と入札変動機能：４とハードウエア資源：５と通信手段：６（出入力装置）とによってＷＥＢ取引サイトの取引開始：３２が開始されることで複数のアクセス者が取引情報閲覧：３３のアクセス数によって可変する価格：３４の手段と、入札者による入札：３５によって入札ごと可変する取引価格：３６の手段とを構成するフロチャートを表したものである。
【産業上の利用可能性】
【００３８】
特許第３９２４６８２号広報の価格変動プログラムに前記可変プログラムを格納し構築することにより、取引価格を可変させることで販売者および購入者に適正な販売価格を提供できる電子商取引の新しい取引の流通システムであり、
取引以外にも商材のマーケティングが行なえ、目的に応じて活用できる可変システムである。
【図面の簡単な説明】
【００３９】
【図１】本発明の実施に形態に関わる可変プログラムの通信経路と端末装置とを構成を示す概略図である。
【図２】本発明の実施に形態に関わる可変プログラムａの通信経路と端末装置とを構成を示す概略図である。
【図３】本発明の実施に形態に関わるアクセス機能の構成を示す概略図である。
【図４】本発明の実施に形態に関わる可変プログラムのデータ処理の全体構成を示す概略図である。
【図５】本発明の実施に形態に関わる可変プログラムａのデータ処理の全体構成を示す概略図である。
【図６】本発明の実施に形態に関わる可変機能の  １．係数ポイントＢの数値Ｘ設定（販売者による数値設定）と、  ２．係数ポイントＢの数値設定（数値Ｘ＝６ポイントＢ）の表である。  ３．アクセス対比機能と時間対比機能によって係数ポイントＢの数値が設定される構成を示す概略図である。
【図７】本発明の実施に形態に関わる可変プログラムの  １．最低販売価格による稼動停止（３１時〜４２時の９時間が可変停止）状況と、  ２．タイムラグ稼動状況（１８時〜２３時の５時間が可変停止）のグラフ図である。
【図８】本発明の実施に形態に関わる可変プログラムの１．グラフは、２．係数ポイントＢの数値設定（可変値０％：Ｘ数値で６ポイントＢ）によって稼動する状況と入札変動機能とを表した図である。
【図９】本発明の実施に形態に関わる可変プログラムのアクセス機能・時間対比機能・可変機能・タイムラグ機能・入札変動機能などの規定の条件および数値の設定を入力する表の図である。
【図１０】本発明の実施に形態に関わる可変プログラムの全体を示す概略図である
【図１１】本発明の実施に形態に関わる可変プログラムａの全体を示す概略図である。
【図１２】本発明の実施に形態に関わるアクセス機能のフロチャートを示す概略図である。
【図１３】本発明の実施に形態に関わる可変プログラムのフロチャートと通信経路と構成を示す概略図である。
【符号の説明】
【００４０】
１．  可変プログラム：１
２．  アクセス機能：２
３．  アクセス機能：２のデータ加工・データ圧縮等の処理を表現した：Ａ１〜Ａ４
４．  可変機能：３
５．  可変機能：３のデータ加工・データ圧縮等の処理を表現した：Ｂ１〜Ｂ６
６．  入札変動機能：４
７．  入札変動機能：４のデータ加工・データ圧縮等の処理を表現した：Ｃ１
８．  ハードウエア資源：５
９．  インターネット通信手段：６
１０．複数の端末装置Ａ：７
１１．複数の端末装置Ｂ：８
１２．複数の端末装置Ｃ：９
１３．複数の端末装置Ｄ：１０
１４．可変機能：３のデータ加工・データ圧縮等の処理を表現した：１１〜１７
１５．入札変動機能：４のデータ加工・データ圧縮等の処理を表現した：１８〜１９
１６．可変プログラムａ：２０
１７．記録機能：２１
１８．記録機能：２１のデータ加工・データ圧縮等の処理を表現した：２２
１９．アクセス対比機能：２４
２０．アクセス対比機能：２４のデータ加工・データ圧縮等の処理を表現した：２３〜２９
２１．時間対比機能：３０
２２．時間対比機能：３０のデータ加工・データ圧縮等の処理を表現した：３１
２３．ＷＥＢ取引サイトの取引開始：３２
２４．複数のアクセス者が取引情報閲覧：３３
２５．アクセス数によって可変する価格：３４
２６．入札者による入札：３５
２８．入札ごと可変する取引価格：３６
２９．ハードウエア（ホストコンピュータ）：３７
３０．価格変動プログラム：３８
【図１】
2009146365.tif 000003
【図２】
2009146365.tif 000004
【図３】
2009146365.tif 000005
【図４】
2009146365.tif 000006
【図５】
2009146365.tif 000007
【図６】
2009146365.tif 000008
【図７】
2009146365.tif 000009
【図８】
2009146365.tif 000010
【図９】
2009146365.tif 000011
【図１０】
2009146365.tif 000012
【図１１】
2009146365.tif 000013
【図１２】
2009146365.tif 000014
【図１３】
2009146365.tif 000015